(57)【要約】【課題】簡易な構造で、外部からの切削液や異物の侵入を防止できる密封装置、および、この密封装置を有する転がり軸受装置を提供する。【解決手段】密封装置２は、固定部材２ａと回転部材２ｂとから構成され、固定部材２ａと回転部材２ｂのそれぞれの表面が隙間を介して対向してラビリンス部３を形成するラビリンスシール型の密封装置であり、ラビリンス部３の少なくとも一部において、該部分を構成する回転部材２ａおよび固定部材２ｂから選ばれる少なくとも一方の部材の表面に繊維を植毛してなる植毛部４ｃ等を有する。【選択図】図２
2017036814.tif 000002
【特許請求の範囲】
【請求項１】
固定部材と回転部材とから構成され、前記固定部材と前記回転部材のそれぞれの表面が隙間を介して対向してラビリンス部を形成するラビリンスシール型の密封装置であって、
前記ラビリンス部の少なくとも一部において、該部分を構成する前記回転部材および前記固定部材から選ばれる少なくとも一方の部材の表面に繊維を植毛してなる植毛部を有することを特徴とする密封装置。
【請求項２】
前記密封装置は、前記固定部材の表面にのみ前記植毛部を有することを特徴とする請求項１記載の密封装置。
【請求項３】
前記ラビリンス部は、前記隙間の幅の狭い領域と、前記隙間の幅の広い領域とを有し、前記表面における少なくとも前記隙間の幅の狭い領域の一部に、前記植毛部を有することを特徴とする請求項１または請求項２記載の密封装置。
【請求項４】
前記ラビリンス部は、前記植毛部を、前記隙間の幅の狭い領域から前記隙間の幅の広い領域まで連続して前記表面に有することを特徴とする請求項３記載の密封装置。
【請求項５】
前記繊維が合成樹脂繊維であり、前記植毛部が静電植毛部であることを特徴とする請求項１から請求項４までのいずれか１項記載の密封装置。
【請求項６】
密封装置と転がり軸受とから構成され、前記密封装置により前記転がり軸受の軸受内空間が密封されてなる転がり軸受装置であって、
前記密封装置が、請求項１から請求項５までのいずれか１項記載の密封装置であることを特徴とする転がり軸受装置。
【請求項７】
前記植毛部に、前記転がり軸受に使用するグリースと同等のグリース、または、前記転がり軸受に使用するグリースの基油と同等の基油が予め塗布されていることを特徴とする請求項６記載の転がり軸受装置。
【発明の詳細な説明】
【技術分野】
【０００１】
本発明は、転がり軸受などに使用する密封装置、および、この密封装置を有する転がり軸受装置に関する。
【背景技術】
【０００２】
工作機械に用いられる転がり軸受装置では、主軸（スピンドル）をはじめ、外部からその隙間を通じて切削液あるいは異物などが侵入することを防止するため、オイルシールやラビリンスシール（回転軸と固定部の間に凹凸の隙間を複数段組み合わせた構造）が採用されている。オイルシールは、接触タイプが主流ではあるが、高速運転時の発熱量が大きく、回転トルクも大きくなることから、工作機械スピンドルに代表される高速運転の主軸には、非接触タイプのオイルシールやラビリンスシールなど、シール構造を非接触タイプにすることが多い。一方、ワークに対して切削や切断などの加工を施す工作機械では、摩擦熱の発生を抑制すること、摩擦熱による部材の劣化を防止すること、および、切粉を洗い流すことのために、ワークに接する刃部材の加工点に切削液を供給することが行なわれる。しかし、非接触タイプのシール構造では、シールの隙間を介して異物や切削液（クーラント）が侵入するリスクがあり、その対策が従来より検討されている。
【０００３】
例えば、エアパージを実施してシールを確実にするスピンドル構成が知られている。この方法では、エアを外部へ吹き出すことで、異物やクーラントの侵入を防止する。特に、スピンドルの内側の気圧を外側より高くして異物やクーラントの侵入を防止することで、シールをより確実にできる。エアを用いる技術として、例えば、特許文献１が提案されている。特許文献１では、回転軸を取り囲むハウジングの範囲内に形成されたエア案内空間から回転軸先端部とハウジングの間の狭窄部に至るエア流通路の上記狭窄部近傍に第２の狭窄部を形成するとともに、該第２の狭窄部の前後にエア溜りポケットを形成した非接触タイプのオイルシールが用いられている。このオイルシールを用いたスピンドル構造では、２段ポケットを配してなるので、エア圧が均等になり、回転軸周囲に均一にエアが排出する。これにより、非常に高いシール性を有するとしている。
【０００４】
また、ラビリンス内に侵入した異物を外部へ排出するスピンドル構成として、例えば、特許文献２が提案されている。特許文献２では、ラビリンスに侵入した異物をスピンドルの回転を利用してドレン孔から外部へ排出するので、高いシール性を長期間にわたり維持できるとしている。これに加えて、蓋部材に逆流防止用のカバーが設けられているので、異物の逆流を防止できるとしている。
【０００５】
さらに、軸受の密封装置についても、異物の侵入を抑制する技術の開発が進められている。例えば、特許文献３では、シールリップと内輪とが接触して摺動する摺動部を設けることで異物の侵入の抑制を図っている。この技術で特徴的な点は、径方向に弾性変形し易いリップ形状のシールリップと、シールリップの表面に梨地加工を施してシールリップの表面粗さを大きくすることにより油を貯留し易くした摺動面形状と、を組み合わせていることである。これにより、異物の侵入を抑制しつつ、摺動トルクの低減を実現できるとしている。
【先行技術文献】
【特許文献】
【０００６】
【特許文献１】特開２００６−１２５５５４号公報
【特許文献２】特開２００６−４３８８３号公報
【特許文献３】特開２０１５−１４３０３号公報
【発明の概要】
【発明が解決しようとする課題】
【０００７】
しかしながら、特許文献１などのエアパージを実施した技術は、付帯設備としてエア供給装置が必要となることや、環境負荷の低減のためにエアの消費量の抑制と供給するエアの高い清浄度の維持と水分除去とを継続して管理することが必要となる。このため、こうした管理が困難な国や地域、また、コストを重視する汎用スピンドルには適さない。
【０００８】
また、特許文献２の技術では、異物やクーラントを排出する機構は設けられているものの、それら異物やクーラントの侵入を高度に防止する機構までは設けられていない。これに加えて、大容量の高圧切削液を使用する場合、ラビリンス内の清掃に際して高圧エアを使用する必要があり、この場合も、エアに係る管理が必要となり、汎用スピンドルには適さない。
【０００９】
さらに、特許文献３の技術では、シールリップと内輪との接触面を減少させたことで摺動トルクの低減を図れるが、該加工方法では表面粗さの増大に限界があり、軸受内部のグリースが漏れたり、異物やクーラントが侵入したりする懸念が残されている。
【００１０】
本発明はこのような問題に対処するためになされたものであり、簡易な構造で、外部からの切削液や異物の侵入を防止できる密封装置、および、この密封装置を有する転がり軸受装置を提供することを目的とする。
【課題を解決するための手段】
【００１１】
本発明の密封装置は、固定部材と回転部材とから構成され、上記固定部材と上記回転部材のそれぞれの表面が隙間を介して対向してラビリンス部を形成するラビリンスシール型の密封装置であって、上記ラビリンス部の少なくとも一部において、該部分を構成する上記回転部材および上記固定部材から選ばれる少なくとも一方の部材の表面に繊維を植毛してなる植毛部を有することを特徴とする。
【００１２】
上記密封装置は、上記固定部材の表面にのみ上記植毛部を有することを特徴とする。
【００１３】
上記ラビリンス部は、上記隙間の幅の狭い領域と、上記隙間の幅の広い領域とを有し、上記表面における少なくとも上記隙間の幅の狭い領域の一部に、上記植毛部を有することを特徴とする。また、上記ラビリンス部は、上記植毛部を、上記隙間の幅の狭い領域から上記隙間の幅の広い領域まで連続して上記表面に有することを特徴とする。
【００１４】
上記繊維が合成樹脂繊維であり、上記植毛部が静電植毛部であることを特徴とする。
【００１５】
本発明の転がり軸受装置は、上記本発明の密封装置と転がり軸受とから構成され、該密封装置により該転がり軸受の軸受内空間が密封されてなることを特徴とする。また、上記植毛部に、上記転がり軸受に使用するグリースと同等のグリース、または、上記転がり軸受に使用するグリースの基油と同等の基油が予め塗布されていることを特徴とする。
【発明の効果】
【００１６】
本発明の密封装置では、ラビリンス部を構成する部材の表面に植毛部を形成することで、該表面の濡れ性が向上し、ラビリンス部の隙間空間に油膜を保持できる。この結果、外部からの切削液や異物の侵入を防止できる。この密封装置を転がり軸受に適用した転がり軸受装置とすることで、軸受装置内部の清浄性を常時高く保つことができる。また、初期運転を実施するだけで、植毛部の先端が除去されて植毛部が該植毛部と対向する部材に対して非接触となるので、運転時における植毛部に起因するトルク上昇の懸念がない。
【００１７】
また、固定部材の表面にのみ植毛部を形成することで、植毛部を該表面に、回転部材の回転運動に起因する遠心力の影響を受けることなく安定的に存在させることができる。また、この場合、回転部材の回転によってグリースに発生するせん断応力は、非常に小さく、グリースの軟化と離油とが抑制される。このため、植毛部がない場合よりもグリースの寿命が長くなる。
【００１８】
また、植毛部に、密封対象となる転がり軸受に使用する潤滑剤と同等の潤滑剤を予め塗布することによって、使用初期から、外部からの切削液や異物の侵入を防止できる。
【図面の簡単な説明】
【００１９】
【図１】本発明の軸受装置の一例を示す断面図である。
【図２】図１における一部拡大図である。
【図３】本発明の軸受装置の他の例を示す断面図である。
【図４】本発明の軸受装置の他の例を示す断面図である。
【図５】植毛部の態様の経時的変化を示す図である。
【発明を実施するための形態】
【００２０】
本発明の密封装置を適用した転がり軸受装置の一例について図１に基づき説明する。図１は本発明の転がり軸受装置の断面図であり、図２はこの転がり軸受装置の一部拡大図である。図１に示すように、転がり軸受装置１は、転がり軸受７と密封装置２とを備えている。転がり軸受７は、内輪７ａと、外輪７ｂと、内・外輪間に転動自在に介在する転動体７ｃとを有する。転がり軸受７は、外輪７ｂが軸箱５に固定され、内輪７ａの内径で主軸６を支持している。また、密封装置２は、軸箱５に固定される固定部材２ａと、主軸６に固定される回転部材２ｂと、ラビリンス部３に形成された植毛部４とを有する。この構成において、内輪７ａと回転部材２ｂとが隣接して位置し、外輪７ｂと固定部材２ａと軸箱５とが隣接して位置することにより、密封空間が形成されている。この密封空間を構成する、密封装置２の密封経路（ラビリンス部を含む）内と、転がり軸受内には、グリースまたは潤滑油である潤滑剤８が封入されている。
【００２１】
本発明の密封装置を図２に基づき説明する。密封装置２は、ラビリンスシール型のシール装置であり、固定部材２ａと回転部材２ｂのそれぞれの凹凸表面が隙間を介して対向してラビリンス部３を形成している。すなわち、固定部材２ａと回転部材２ｂは、一方の部材の凸部が他方の部材の凹部と隙間を介して相補的に配された位置関係にある。
【００２２】
ラビリンス部３は、隙間幅の狭い領域と隙間幅の広い領域から構成されている。隙間幅の狭い領域としては、第１領域３ａと、第３領域３ｃと、第５領域３ｅとがあり、隙間幅の広い領域としては、第２領域３ｂと、第４領域３ｄとがある。密封装置の外部側からみて、第１領域３ａ〜第５領域３ｅの順で、隙間幅の狭い領域と隙間幅の広い領域とが交互に形成されている。なお、隙間幅は、各領域における固定部材２ａと回転部材２ｂとの表面間の距離である。
【００２３】
ラビリンス部３の形状としては、切削液や異物などの通過物の抵抗を大きくしてこれらの侵入を抑制できるよう、隙間幅の狭い領域を有していれば特に限定されない。好ましくは、図２に示すように、隙間幅の狭い領域と隙間幅の広い領域を交互に設けた形状とする。隙間幅の広い領域を複数回にわたって通過させることで、通過物の速さを漸次減少でき、異物などの侵入をより抑制できる。また、密封経路にグリースを充填する場合、グリースは一般的にチキソトロピー性を有することから、隙間幅の狭い領域では大きなせん断応力が加わって高い潤滑性を示しつつ、隙間幅の広い領域では半固体状の態様で存在して高い密封性を付与できる。
【００２４】
本発明の密封装置では、このようなラビリンスシールの特性に加えて、ラビリンス部に植毛部を形成していることを主な特徴としている。植毛部は、短繊維を植毛して形成され、植毛繊維と該植毛繊維の根元を固定する接着層とからなる（図５参照）。植毛部の詳細構成については後述する。図２に示す形態では、ラビリンス部３において、第１領域３ａにおける固定部材の表面３ｆの全体に植毛部４ｃが形成されている。また、第３領域３ｃにおける固定部材の表面３ｊの全体に植毛部４ｇが形成され、第２領域３ｂにおける固定部材の表面３ｈに、植毛部４ｇと連続した植毛部４ｅが形成されている。さらに、第５領域３ｅにおける固定部材の表面３ｎの全体に植毛部４ｋが形成され、第４領域３ｄにおける固定部材の表面３ｌに、植毛部４ｋと連続した植毛部４ｉが形成されている。図２に示す形態では、上記箇所以外には植毛部は形成されていない。
【００２５】
本発明の密封装置の他の例を図３および図４に基づいて説明する。図３および図４に示す密封装置は、図２に示す形態の密封装置と植毛箇所のみ異なる。図３に示す密封装置２では、第１領域３ａにおける固定部材の表面３ｆの全体に植毛部４ｃが形成されている。また、第３領域３ｃにおける固定部材の表面３ｊの全体に植毛部４ｇが形成されている。さらに、第５領域３ｅにおける固定部材の表面３ｎの全体に植毛部４ｋが形成されている。図３に示す形態では、上記箇所以外には植毛部は形成されていない。すなわち、図２と図３の密封装置では、隙間幅の広い領域における固定部材表面の植毛部の有無のみが異なる。
【００２６】
図４に示す密封装置２では、第１領域３ａにおける回転部材の表面３ｇの全体に植毛部４ｄが形成されている。また、第３領域３ｃにおける回転部材の表面３ｋの全体に植毛部４ｈが形成され、第２領域３ｂにおける回転部材の表面３ｉの一部に、植毛部４ｈと連続して植毛部４ｆが形成されている。さらに、第５領域３ｅにおける回転部材の表面３ｏの全体に植毛部４ｌが形成され、第４領域３ｄにおける回転部材の表面３ｍの一部に、植毛部４ｌと連続して植毛部４ｊが形成されている。図４に示す密封装置では、上記箇所以外には植毛部は形成されていない。
【００２７】
以上、図２〜図４により植毛部の形態を具体的に説明したが、これに限定されるものではなく、ラビリンス部を構成する回転部材および固定部材から選ばれる少なくとも一方の部材の表面（その全体または一部）に形成されていればよい。すなわち、植毛部の形成パターンとしては、固定部材側のみ、回転部材側のみ、または、これらの組み合わせが挙げられる。これらの中でも、図２および図３に示すように、植毛部を固定部材表面のみに形成し、回転部材表面には形成しないことが好ましい。これは、回転部材表面に設けられた植毛部は、回転部材の回転運動により発生する遠心力で脱離するおそれがあるが、固定部材表面に設けられた植毛部は、回転部材の遠心力の影響が小さく安定的に該表面に存在できるためである。
【００２８】
また、シール性向上の効果が高いことから、隙間幅の狭い領域における部材表面に植毛部を形成することが好ましい。また、外部から密封経路内部に切削油や異物が侵入することを抑制できるため、入口部（図２〜図４における第１領域３ａ）に植毛部を形成することが好ましい。図２〜図４に示した各密封装置は、いずれもこれらの構成を有しており、従来より汎用されているラビリンスシール型の密封装置と比較して、高い密封性を確保している。
【００２９】
これらの中でも、図２に示すように、隙間幅の狭い領域から隙間幅の広い領域まで連続して植毛部を形成することが好ましい。これにより、隙間幅の狭い領域で潤滑剤の保持量が減少した場合に、隙間幅の広い領域における植毛部に保持された潤滑剤が、植毛部を伝って隙間幅の狭い領域に供給される。
【００３０】
植毛部は、短繊維を植毛して形成される。植毛方法としては、吹き付けや静電植毛を採用できる。ラビリンス部を構成する各部材の表面のような周面においても、多量の繊維を短時間で密に垂直に植毛できることから、静電植毛を採用することが好ましい。静電植毛方法としては、公知の方法を採用でき、例えば、静電植毛する範囲に接着剤を塗布し、短繊維を帯電させて静電気力により上記接着剤塗布面に略垂直に植毛した後、乾燥工程・仕上げ工程などを行なう方法が挙げられる。
【００３１】
植毛に用いる短繊維としては、植毛用短繊維として使用可能であれば特に限定されず、例えば、（１）ポリエチレン、ポリプロピレンなどのポリオレフィン樹脂、ナイロンなどのポリアミド樹脂、芳香族ポリアミド樹脂、ポリエチレンテレフタレート、ポリエチレンナフタレート、ポリエチレンサクシネート、ポリブチレンテフタレートなどのポリエステル樹脂、アクリル樹脂、塩化ビニル、ビニロンなどの合成樹脂繊維、（２）カーボン繊維、グラスファイバーなどの無機繊維、（３）レーヨン、アセテートなどの再生繊維や、綿、絹、麻、羊毛などの天然繊維が挙げられる。これらは単独で用いられてもよく、２種以上が併用されてもよい。密封経路に充填するグリース中の油や侵入した切削油による膨潤や溶解などが生じにくく化学的に安定であり、均質な繊維を多量に生産することができ、安価に入手することができるため、上記の中でも合成樹脂繊維を用いることが好ましい。
【００３２】
短繊維の形状としては、シール性能と軸受性能（トルクなど）に悪影響を与えない形状であれば特に限定されない。具体的な形状としては、例えば、長さ０．３〜２．０ｍｍ、太さ０．５〜５０デシテックスのものが好ましく、植毛部の短繊維の密度としては、植毛した面積あたりに繊維の占める割合が１０〜３０％が好ましい。短繊維長さについては、これを形成するラビリンス部の隙間幅以下とする。短繊維の形状としては、ストレートタイプとベンドタイプ（先端部が曲がった形状）とがあり、断面形状は円形状や正多角形状のものがある。ベンドタイプの場合、その形状からストレートタイプと比較して潤滑剤をより強く保持することができる。さらに、多角形状断面の短繊維を使用することで、円形状断面の短繊維よりも大きな表面積とすることができ、潤滑剤の表面張力を大きくすることができる。それぞれの特性に合わせて、短繊維の形状を選定することが好ましい。
【００３３】
接着剤としては、ウレタン樹脂、エポキシ樹脂、アクリル樹脂、酢酸ビニル樹脂、ポリイミド樹脂、シリコーン樹脂などを主成分とする接着剤が挙げられる。例えば、ウレタン樹脂溶剤系接着剤、エポキシ樹脂溶剤系接着剤、酢酸ビニル樹脂溶剤系接着剤、アクリル樹脂系エマルジョン接着剤、アクリル酸エステル−酢酸ビニル共重合体系エマルジョン接着剤、酢酸ビニル系エマルジョン接着剤、ウレタン樹脂系エマルジョン接着剤、エポキシ樹脂系エマルジョン接着剤、ポリエステル系エマルジョン接着剤、エチレン−酢酸ビニル共重合体系接着剤などが挙げられる。これらは単独で用いられてもよく、２種以上が併用されてもよい。
【００３４】
上記方法により形成された植毛部について、形成直後から通常運転時に至るまでの期間における態様の変化を図５に基づいて説明する。図５に示すように、植毛部４は、短繊維を植毛して形成され、植毛繊維４ａと該植毛繊維の根元を固定する接着層４ｂとからなる。まず、図５（ａ）に示すように、固定部材２ａの表面上に形成された植毛部４は、形成直後から初期運転を実施する前までは、植毛繊維４ａの先端側が回転部材２ｂの表面に接触している。初期運転を実施すると、図５（ｂ）に示すように、植毛繊維４ａの先端側が摩擦により除去されて極僅かな幅のラビリンス隙間９を形成する。最後に、図５（ｃ）に示すように、予め塗布した潤滑油またはグリース（潤滑剤８）が植毛部４に付着し、ラビリンス部の隙間空間に油膜が形成される。これにより、外部からの切削液や異物の侵入を防止できる。
【００３５】
本発明の転がり軸受装置は、これを構成する転がり軸受と密封装置とが潤滑剤で潤滑される。これら潤滑剤は内・外輪間の空間内や密封経路内に供給・封入される。潤滑剤としては、通常、密封装置および転がり軸受に用いられる潤滑剤であれば特に制限なく用いることができ、潤滑油またはグリースのいずれでもよい。
【００３６】
本発明に使用する潤滑油としては、例えば、パラフィン系鉱油、ナフテン系鉱油などの鉱油、ポリブテン油、ポリ−α−オレフィン油、アルキルベンゼン油、アルキルナフタレン油などの炭化水素系合成油、または、天然油脂やポリオールエステル油、リン酸エステル油、ジエステル油、ポリグリコール油、シリコーン油、ポリフェニルエーテル油、アルキルジフェニルエーテル油、フッ素油などの非炭化水素系合成油などが挙げられる。これらの潤滑油は、単独で用いられてもよく、２種類以上が併用されてもよい。
【００３７】
潤滑剤としてグリースを使用する場合、グリースを構成する基油としては、上記の潤滑油が挙げられる。また、グリースを構成する増ちょう剤としては、例えば、アルミニウム石けん、リチウム石けん、ナトリウム石けん、複合リチウム石けん、複合カルシウム石けん、複合アルミニウム石けんなどの金属石けん系増ちょう剤、ジウレア化合物、ポリウレア化合物などのウレア系化合物、ＰＴＦＥ樹脂などのフッ素樹脂粉末が挙げられる。これらの増ちょう剤は、単独で用いられてもよく、２種類以上が併用されてもよい。
【００３８】
潤滑剤には必要に応じて公知の添加剤を添加できる。添加剤としては、例えば、有機亜鉛化合物、有機モリブデン化合物などの極圧剤、アミン系、フェノール系、イオウ系化合物などの酸化防止剤、イオウ系、リン系化合物などの摩耗抑制剤、多価アルコールエステルなどの防錆剤、ポリメタクリレート、ポリスチレンなどの粘度指数向上剤、二硫化モリブデン、グラファイトなどの固体潤滑材、エステル、アルコールなどの油性剤などが挙げられる。
【００３９】
ラビリンス部に形成された植毛部に、密封対象となる転がり軸受に使用するグリースと同等のグリースを、または、密封対象となる転がり軸受に使用するグリースに含まれる基油と同等の基油を予め塗布することが好ましい。これにより、ラビリンス部における隙間幅の狭い領域がより速やかに油膜で充填され、使用初期から、外部からの切削液や異物の侵入を防止できる。なお、同等とは、ほぼ同じ種類・組成であることを意味し、最も好ましくは同一種で同組成のものを使用する。
【産業上の利用可能性】
【００４０】
本発明の密封装置は、簡易な構造で、外部からの切削液や異物の侵入を防止できるので、種々の用途に広く利用でき、特に工作機械に使用する転がり軸受の密封装置として好適に利用できる。
【符号の説明】
【００４１】
１  転がり軸受装置
２  密封装置
３  ラビリンス部
４  植毛部
５  軸箱
６  主軸
７  転がり軸受
８  潤滑剤
９  ラビリンス隙間
【図１】
2017036814.tif 000003
【図２】
2017036814.tif 000004
【図３】
2017036814.tif 000005
【図４】
2017036814.tif 000006
【図５】
2017036814.tif 000007